(57)【要約】【課題】便器本体天面に設けられた穴が露出せず、穴にゴミや汚水の侵入を抑制し、清掃性が良く、更に意匠性の良いトイレ装置を提供することを目的としている。【解決手段】トイレ装置本体と固定部材と隠蔽部とを備え、前記固定部材は、前記トイレ装置本体を便器本体に固定する構造を備え、前記隠蔽部は、局部と前記トイレ装置本体と前記便器本体とを洗浄する為の水を供給するための給水ホース、或いは前記トイレ装置本体を駆動させる為の電気を供給する給電コードを通すことが可能な前記便器本体天面に形成された穴を隠蔽する構造を備えること、を特徴とするトイレ装置を提供する。【選択図】図１
2015183429.tif 000002
【特許請求の範囲】
【請求項１】
トイレ装置本体と固定部材と隠蔽部とを備え、
前記固定部材は、前記トイレ装置本体を便器本体に固定する構造を備え、
前記隠蔽部は、局部と前記トイレ装置本体と前記便器本体とを洗浄する為の水を供給するための給水ホース、或いは前記トイレ装置本体を駆動させる為の電気を供給する給電コードを通すことが可能な前記便器本体天面に形成された穴を隠蔽する構造を備えること、を特徴とするトイレ装置。
【請求項２】
前記固定部材が、前記隠蔽部を兼用していることを特徴とする請求項１記載のトイレ装置。
【請求項３】
前記固定部材は、開閉部を備え、
前記固定部材は、前記開閉部が折りたたまれ前記穴が露出する第１の状態と、前記開閉部が開かれ前記穴が隠蔽する第２の状態と、を切り替え可能なことを特徴とする請求項２記載のトイレ装置。
【請求項４】
前記固定部材は、第１の固定方向と第２の固定方向とを変更可能であって、
前記第１の固定方向で前記固定部材を便器本体に固定することで、前記穴が露出され、  前記第２の固定方向で前記固定部材を便器本体に固定することで、前記穴が隠蔽される、ことを特徴とする請求項２記載のトイレ装置。
【発明の詳細な説明】
【技術分野】
【０００１】
本発明は、トイレ装置に係り、便器本体にトイレ装置を固定するための固定部材を備え、便器本体に固定されるトイレ装置に関する。
【背景技術】
【０００２】
特開２００５−２９０９６７のように、一般的にトイレ装置には、局部と便器本体とを洗浄するための水を供給する給水ホースと、トイレ装置を駆動させるための電気を供給する給電コードが必要な場合が多い。従って、トイレ装置を取り付け時には給水ホース或いは給電コードが、トイレ装置から露出する場合がある。
【０００３】
近年では意匠性が重要視されてきている。そのため、給水ホース或いは給電コードを、トイレ装置から露出させずに、隠蔽することが望まれている。その一例として、便器本体天面に穴が設けられ、その穴に給水ホースと給電コードを挿入して、トイレ装置が取り付いたときに隠蔽する構造が知られている。
【０００４】
しかしながら、便器本体天面に設けられた穴の位置によっては、穴がトイレ装置より露出してしまうことがある。便器本体天面の穴が露出していると、露出した穴にゴミや汚水などが入る。穴や穴の内部は清掃性が悪く、悪臭の原因になるという問題があった。
【０００５】
更には、便器本体天面は使用者の目に留まる部分であるため、穴が見えてしまうとトイレ装置を便器本体に固定した際の美観を損ねるという問題があった。
【先行技術文献】
【特許文献】
【０００６】
【特許文献１】特開２００５−２９０９６７号公報
【発明の概要】
【発明が解決しようとする課題】
【０００７】
そこで本発明は、上記問題を解決することにあり、便器本体天面に設けられた穴が露出せず、穴にゴミや汚水の侵入を抑制し、清掃性が良く、更に意匠性の良いトイレ装置を提供することを目的としている。
【課題を解決するための手段】
【０００８】
第１の発明は、トイレ装置本体と固定部材と隠蔽部とを備え、前記固定部材は、前記トイレ装置本体を便器本体に固定する構造を備え、前記隠蔽部は、局部と前記トイレ装置本体と前記便器本体とを洗浄する為の水を供給するための給水ホース、または前記トイレ装置本体を駆動させる為の電気を供給する給電コード、を通すことが可能な前記便器本体天面に形成された穴を隠蔽する構造を備えるトイレ装置である。
【０００９】
このトイレ装置によれば、給水ホースと給電コードの隠蔽を必要としない場合でも穴が露出せず、穴にゴミや汚水が入りこまないため、清掃性が良く更に意匠性の良いトイレ装置を提供できる。また、給水ホースのみを備え給電コードを備えていないトイレ装置でも穴が露出せず、穴にゴミや汚水が入りこまないため、清掃性が良く更に意匠性の良いトイレ装置を提供できる。更には、給電コードのみを備え給水ホースを備えていないトイレ装置でも穴が露出せず、穴にゴミや汚水が入りこまないため、清掃性が良く更に意匠性の良いトイレ装置を提供できる。
給水ホース、給電コードの具備に関係なく本発明のトイレ装置で便器本体天面の穴を隠蔽することが出来る。
【００１０】
また、第２の発明は、前記固定部材が、前記隠蔽部を兼用していることを特徴とするトイレ装置である。
【００１１】
本構成により、固定部材が、隠蔽部を兼用しているので、固定部材一つで新たな部品の追加が必要なく、製造時のコスト削減、施工時の工程数削減をすることができる。
【００１２】
また、第３の発明は、前記固定部材は、開閉部を備え、前記固定部材は、前記開閉部が折りたたまれ前記穴が露出する第１の状態と、前記開閉部が開かれ前記穴が隠蔽する第２の状態と、を切り替え可能なことを特徴とするトイレ装置である。
【００１３】
本構成により、固定部材の開閉部を第１の状態と第２の状態とを切り替えることで簡単に穴の露出と隠蔽を変更可能となる。
【００１４】
また、第４の発明は、前記固定部材は、第１の固定方向と第２の固定方向とを変更可能であって、前記第１の固定方向で前記固定部材を便器本体に固定することで、前記穴が露出され、前記第２の固定方向で前記固定部材を便器本体に固定することで、前記穴が隠蔽される、ことを特徴とするトイレ装置である。
【００１５】
本構成により、固定部材の第１の固定方向と第２の固定方向とを切り替えることで簡単に穴の露出・隠蔽を変更することができる。
【発明の効果】
【００１６】
便器本体天面に設けられた穴が露出せず、穴にゴミや汚水の侵入を抑制し、清掃性が良く、更に意匠性の良いトイレ装置を提供できる。
【図面の簡単な説明】
【００１７】
【図１】本発明の実施の形態にかかるトイレ装置を例示する斜視模式図である。
【図２】給水ホースと給電コードをどちらも備えるトイレ装置を例示する斜視模式図である。
【図３】給水ホースと給電コードのうち、給水ホースのみを備えるトイレ装置を例示する斜視模式図である。
【図４】給水ホースと給電コードのうち、給電コードのみを備えるトイレ装置を例示する斜視模式図である。
【図５】給水ホースと給電コードのうち、給水ホースと給電コードのどちらも備えていないトイレ装置を例示する斜視模式図である。
【図６】給水ホースと給電コードのうち、給水ホースと給電コードのどちらも備えていないトイレ装置の上面図である。
【図７】第一の実施形態に係る固定部材の形態を説明する固定部材を、第１の状態で、便器に取り付けた上面図である。
【図８】第一の実施形態に係る固定部材の形態を説明する固定部材を、第２の状態で、便器に取り付けた上面図である。
【図９】第二の実施形態に係る固定部材の形態を説明する固定部材を、穴２２０が、露出した状態で、取り付けた便器本体の上面図である。
【図１０】第二の実施形態に係る固定部材の形態を説明する固定部材を、穴２２０が隠蔽した状態で、取り付けた便器本体の上面図である。
【発明を実施するための形態】
【００１８】
（トイレ装置の全体構成）
以下、本発明実施の形態を図面を参照しつつ説明する。なお、各図面中、同様の構成要素には同一の符号を付して詳細な説明は適宜省略する。
図１は、本発明の実施の形態にかかるトイレ装置を例示する斜視模式図である。
【００１９】
図１に示したトイレ装置１００は、トイレ装置本体１１０と固定部材１２０と便器本体天面にあいた穴を隠蔽する隠蔽部とを備える。固定部材１２０は隠蔽部を兼用している。
固定部材１２０は、固定部材１２０を便器本体２００に組み付ける構造を備える。更に、トイレ装置本体１１０を固定部材１２０に取り付ける構造を備え、トイレ装置本体１１０と便器本体２００と固定する構造を備える。
便器本体天面２１０には穴２２０が形成されている。この穴２２０は給水ホース１３０と給電コード１４０を通すための穴である。給水ホース１３０、給電コード１４０はトイレ装置本体１００に備わっており、穴２２０を通してそれぞれ壁３００に接続される。
隠蔽部は、給水ホース１３０、または給電コード１４０を通すことが可能な便器本体天面２１０に形成された穴２２０を使用しない際に隠蔽する構造を備える。
給水ホース１３０は、局部と便器本体２００とを洗浄するための水を供給するためのホースである。
給電コード１４０は、トイレ装置本体１１０を駆動させるための電気を供給するためのコードである。
トイレ装置１００は、給水ホース１３０より供給された水を吐水するノズルを備え、ノズルから吐水される水によって局部を洗浄する。
【００２０】
図２は、給水ホースと給電コードをどちらも備えるトイレ装置を例示する斜視模式図である。図２のトイレ装置１００は、局部洗浄用のノズルを備え、トイレ装置本体１１０を駆動させるための電気も必要とするため、給水ホース１３０と給電コード１４０を両者とも備えているトイレ装置１００である。
【００２１】
図３は、給水ホースと給電コードのうち、給水ホースのみを備えるトイレ装置を例示する斜視模式図である。図３のトイレ装置１００は、局部洗浄用のノズルは備えているが、トイレ装置本体１１０は電気的に駆動ぜず、電気を必要としないため、給水ホース１３０は備えているが給電コード１４０は備えていないトイレ装置１００である。
【００２２】
図４は、給水ホースと給電コードのうち、給電コードのみを備えるトイレ装置を例示する斜視模式図である。図４のトイレ装置１００は、局部洗浄用のノズルを備えていないが、トイレ装置本体１１０を電気的に駆動させるために電気を必要とするため、給水ホース１３０は備えていないが給電コード１４０は備えているトイレ装置１００である。
【００２３】
図５は、給水ホースと給電コードのうち、給水ホースと給電コードのどちらも備えていないトイレ装置を例示する斜視模式図である。図５のトイレ装置１００は、局部洗浄用のノズルを備えておらず、トイレ装置本体１１０も電気的に駆動させることがないため、給水ホース１３０と給電コード１４０を両者とも備えていないトイレ装置１００である。
本願明細書の「トイレ装置」は図２〜５のトイレ装置１００を含むものとする。
【００２４】
給水ホース１３０や給電コード１４０を便器本体天面２１０に形成された穴２２０に通し、隠蔽部を備えたトイレ装置本体１１０を、固定部材１２０を介して便器本体２００に取り付けることで、給水ホース１３０や給電コード１４０を隠蔽することができる。
【００２５】
図６は、給水ホースと給電コードのうち、給水ホースと給電コードのどちらも備えていないトイレ装置の上面図である。図６のように、給水ホース１３０と給電コード１４０のどちらも備えていないトイレ装置１００を便器本体２００に取り付けた場合には穴２２０が露出してしまうことがある。
【００２６】
しかし、トイレ装置１００が隠蔽部を備えることにより、給水ホース１３０と給電コード１４０の隠蔽を必要としない場合でも穴２２０が露出せず、穴２２０にゴミや汚水が入りこまないため、清掃性が良く更に意匠性の良いトイレ装置１００を提供できる。また、給水ホース１３０のみを備え給電コード１４０を備えていないトイレ装置１００でも穴２２０が露出せず、穴２２０にゴミや汚水が入りこまないため、清掃性が良く更に意匠性の良いトイレ装置１００を提供できる。更には、給電コード１４０のみを備え給水ホース１３０を備えていないトイレ装置１００でも穴２２０が露出せず、穴２２０にゴミや汚水が入りこまないため、清掃性が良く更に意匠性の良いトイレ装置１００を提供できる。
給水ホース１３０、給電コード１４０の具備に関係なく本発明のトイレ装置１００で便器本体天面２１０の穴２２０を隠蔽することが出来る。
【００２７】
固定部材１２０が、隠蔽部を兼用しているので、固定部材１２０一つで新たな部品の追加が必要なく、製造時のコスト削減、施工時の工程数削減をすることができる。
【００２８】
次に、本発明の第一実施形態に係る第一の固定部材の形態について図面を参照しつつ説明する。
図７は、第一の実施形態に係る固定部材の形態を説明する固定部材を、第１の状態で、便器に取り付けた上面図である。図８は、第一の実施形態に係る固定部材の形態を説明する固定部材を、第２の状態で、便器に取り付けた上面図である。
【００２９】
図７、図８に示すように、固定部材１２０は、開閉部１２１とトイレ装置固定部１２２を備えている。開閉部１２１とトイレ装置固定部１２２は開閉可能なヒンジ構造で、便器本体天面２１０に取り付けられている。固定部材１２０は、ヒンジを介して開閉部１２１が内側に折りたたまれ、穴２２０が露出する第１の状態（図７）と、開閉部１２１が外側に開かれ穴２２０が隠蔽する第２の状態（図８）と、を切り替え可能な構造を備えている。開閉部１２１を内側に折りたたむことで第１の状態と第２の状態を切り替える。
【００３０】
固定部材１２０の開閉部１２１を第１の状態と第２の状態とを切り替えることで簡単に穴２２０の露出と隠蔽を変更可能となる。
【００３１】
次に、本発明の第二実施形態に係る第二の固定部材１２０の形態について図面を参照しつつ説明する。
図９は、第二の実施形態に係る固定部材の形態を説明する固定部材を、穴２２０が、露出した状態で、取り付けた便器本体の上面図である。図１０は、第二の実施形態に係る固定部材の形態を説明する固定部材を、穴２２０が隠蔽した状態で、取り付けた便器本体の上面図である。
【００３２】
固定部材１２０を便器本体天面２１０に取り付けた際に穴２２０を隠すように固定部材１２０の便器本体天面２１０に固定する固定箇所を中心とした両側方の片側が一方より、長い形状をしており、片側が穴２２０の隠蔽部となる。
図９に示すように、固定部材１２０の片側が長い形状をしているため、穴２２０を使用するときは固定部材１２０の一方を穴２２０が形成されている第１の固定方向で設置することで穴を露出される。図１０に示すように、固定部材１２０の片側を穴２２０が形成されている第２の固定方向で設置することで穴が隠蔽される。
【００３３】
固定部材１２０は、第１の固定方向と第２の固定方向とを変更可能であって、固定部材１２０はどちらの固定方向でもトイレ装置１００を取り付け可能である。固定部材１２０の第１の固定方向と第２の固定方向とを切り替えることで簡単に穴２２０の露出・隠蔽を変更することができる。
【符号の説明】
【００３４】
１００…トイレ装置、１１０…トイレ装置本体、１２０…固定部材、１２１…固定部材開閉部、１２２…トイレ装置固定部、１３０…給水ホース、１４０…給電コード、２００…便器本体、２１０…便器本体天面、２２０…穴、３００…壁
【図１】
2015183429.tif 000003
【図２】
2015183429.tif 000004
【図３】
2015183429.tif 000005
【図４】
2015183429.tif 000006
【図５】
2015183429.tif 000007
【図６】
2015183429.tif 000008
【図７】
2015183429.tif 000009
【図８】
2015183429.tif 000010
【図９】
2015183429.tif 000011
【図１０】
2015183429.tif 000012